(57)【要約】      （修正有）【課題】表示板において、遮光部と遮光部の間に形成された透光部とで構成された微細な模様の鮮明度を向上させた表示板を提供する。【解決手段】文字板１００（表示板の一例）は、平面視において微細な模様を構成する、遮光部及び遮光部の間に形成された透光部を有する板状の和紙２０（装飾部材の一例）と、和紙２０の背面側に配置されて光を反射する板状の反射板３０（反射部材の一例）と、を有し、反射板３０における視認側の表面３１上に和紙２０を配置した。【選択図】図２
2018119807.tif 000002
【特許請求の範囲】
【請求項１】
平面視において微細な模様を構成する、遮光部及び前記遮光部の間に形成された透光部を有する板状の装飾部材と、
前記装飾部材の背面側に配置されて光を反射する板状の反射部材と、を有し、
前記反射部材における視認側の表面上に前記装飾部材を配置した表示板。
【請求項２】
前記装飾部材は、前記反射部材における視認側の表面に、接着剤により接着されて配置されている請求項１に記載の表示板。
【請求項３】
前記装飾部材の視認側の表面は、前記接着剤が含浸していない非接着領域である請求項２に記載の表示板。
【請求項４】
前記接着剤は、ホットメルト接着剤である請求項２又は３に記載の表示板。
【請求項５】
前記接着剤の厚さは、前記装飾部材の厚さよりも薄い請求項２から４のうちいずれか１項に記載の表示板。
【請求項６】
前記装飾部材の裏面の少なくとも一部と前記反射部材の表面とが接するように、前記反射部材の表面に前記装飾部材を配置した請求項１から５のうちいずれか１項に記載の表示板。
【請求項７】
前記遮光部は、繊維又は繊維束によって形成されている請求項１から６のうちいずれか１項に記載の表示板。
【請求項８】
前記装飾部材は、前記繊維又は前記繊維束が、互いに不規則な向きに並んで、前記装飾部材の厚さ方向に積み重なって配置されている請求項７に記載の表示板。
【請求項９】
前記装飾部材は和紙である請求項７又は８に記載の表示板。
【請求項１０】
前記装飾部材より視認側に配置され、その背面に前記装飾部材の視認側の表面が密着した光透過性の板状の透光部材を有する請求項１から９のうちいずれか１項に記載の表示板。
【請求項１１】
前記透光部材は、背面側となる裏面に、凹凸による模様が形成されている請求項１０に記載の表示板。
【請求項１２】
前記装飾部材は貫通孔を有し、
前記貫通孔を指針軸が貫通し、
前記指針軸に指針が固定された時計に用いられる請求項１０又は１１に記載の表示板。
【請求項１３】
前記反射板は光透過性を有する請求項１から１２のうちいずれか１項に記載の表示板。
【請求項１４】
前記反射板の背面側にソーラセルが配置される時計に用いられる請求項１３に記載の表示板。
【請求項１５】
前記反射板は、前記ソーラセルの受光面に形成された複数の微小な凸部に押圧して保持されるとともに、所定温度以上の環境下で軟化して前記複数の微小な凸部の形状が転写される温度特性を有する材料で形成されている請求項１４に記載の表示板。
【請求項１６】
前記反射板の視認側の表面に、光透過性の着色層が形成されている請求項１から１５のうちいずれか１項に記載の表示板。
【請求項１７】
前記反射板の視認側の表面に、前記反射板が反射する全ての光のうち少なくとも一部の光を反射する機能を有する請求項１から１６のうちいずれか１項に記載の表示板。
【発明の詳細な説明】
【技術分野】
【０００１】
本発明は表示板に関する。
【背景技術】
【０００２】
例えば時計に用いられる文字板等の表示板には、様々な装飾が施されることがある。この装飾として例えば和紙を用いた表示板が提案されている（例えば、特許文献１参照）
【先行技術文献】
【特許文献】
【０００３】
【特許文献１】特許第４８８７１１６号公報
【発明の概要】
【発明が解決しようとする課題】
【０００４】
しかし、特許文献１に記載された表示板は、透過性基板の下面（背面）が、透過部と非透過部とで形成されているため、透過性基板の背面に配置された反射型偏光板による反射光のむら（光量の空間的な分布の差異）ができる。このため、透過性基板の上面（視認側の表面）に配置された和紙の繊維は、背面側からのむらのある反射光によって不鮮明になり、視認される繊維質の質感を際立たせることができない。特に微細な模様は不鮮明になり易い。
【０００５】
なお、この問題は、装飾部材として和紙を適用したものに限定されるものではなく和紙以外の、繊維状の遮光部と遮光部の間に形成された透光部とを有する繊維質の部材にも同様に起こり得る。また、この問題は、遮光部が繊維で形成された繊維質の部材に限定されず、遮光部と遮光部の間に形成された透光部とを有する模様が形成された模様部材にも同様に起こり得る。
【０００６】
本発明はこのような事情に鑑みなされたものであって、遮光部と遮光部の間に形成された透光部とで構成された微細な模様の鮮明度を向上させることができる表示板を提供することを目的とする。
【課題を解決するための手段】
【０００７】
本発明は、平面視において微細な模様を構成する、遮光部及び前記遮光部の間に形成された透光部を有する板状の装飾部材と、前記装飾部材の背面側に配置されて光を反射する板状の反射部材と、を有し、前記反射部材における視認側の表面上に前記装飾部材を配置した表示板である。
【発明の効果】
【０００８】
本発明に係る表示板によれば、遮光部と遮光部の間に形成された透光部とで構成された微細な模様の鮮明度を向上させることができる。
【図面の簡単な説明】
【０００９】
【図１】本発明に係る表示板の一例である文字板を含む時計を示す平面図である。
【図２】図１に示した文字板の断面図である。
【図３】図１におけるＡ部の拡大図を示す図である。
【図４】図１に示した時計の厚さ方向の断面を模式的に表した断面図である。
【図５】文字板の平面図である。
【図６】文字板の切欠きにムーブメントのボスが嵌め合わされた状態を示す要部斜視図である。
【図７】反射板の表面に光透過性の着色層を形成した構成の文字板を示す図２相当の断面図である。
【図８】反射板の裏面に光透過性の着色層を形成した構成の文字板を示す図２相当の断面図である。
【図９】反射板の表面の一部と裏面の一部にそれぞれ光透過性の着色層を形成した構成の文字板を示す図２相当の断面図である。
【図１０】和紙の視認側に透明上板を有しない構成の文字板を示す図２相当の断面図である。
【図１１】ソーラセルの受光面に形成された複数の微小な凸部に反射板が押圧される前の文字板を示す図２相当の断面図である。
【図１２】ソーラセルの凸部の輪郭形状が反射板に転写された文字板を示す図２相当の断面図である。
【図１３】装飾部材の他の例として、繊維等とその間の隙間とによって微細な模様が形成された装飾部材の不織布を示す写真である。
【図１４】樹脂の基板の裏面に微小なプリズムを多数形成した反射板を示す図２相当の断面図である。
【発明を実施するための形態】
【００１０】
以下、本発明に係る表示板の実施形態について、図面を参照して説明する。図１は本発明に係る表示板の一例である文字板１００を含む時計２００を示す平面図、図２は図１に示した文字板１００を含む断面図、図３は図１におけるＡ部の拡大図、図４は図１に示した時計２００の厚さ方向の断面を模式的に表した断面図、をそれぞれ示す。
【００１１】
＜構成＞
図１に示すように、本実施形態の文字板１００は時計２００に用いられる。なお、本実施形態においては、数字やバーインデックスなどの時字が付加されて時計２００に用いられるため「文字板」と称したが、本発明に係る表示板は、時計に用いられるものに限定されず、したがって「文字板」という称呼のものに限定されない。
【００１２】
文字板１００は、図２に示すように、文字板１００に対して直交する方向の外部から文字板１００を見たとき（平面視）の視線の向きの上流側である視認側から順に、透明上板１０（透光部材の一例）、和紙２０（装飾部材の一例）、反射板３０（反射部材の一例）が重ねられて構成されている。透明上板１０は、無色透明の板状の樹脂であり、視認側の表面１１及び背面となる裏面１２がともに平滑な面に形成されている。透明上板１０は、可視光領域の光を透過させる光透過性を有している。
【００１３】
和紙２０は、繊維又は繊維の束（複数の繊維によって糸状に形成されているもの。以下、繊維及び繊維束を繊維等と総称する。）が互いに不規則な向きに並んで、その厚さ方向（視線の向きに沿った方向）に積み重なった、板厚が例えば数十［μｍ］の板状に形成されている。ここで、繊維等は例えば植物の繊維で形成されていて、可視光領域の光に対して不透明である。したがって、和紙２０の繊維等は、図３に示すように、平面視において遮光部２１となる。また、和紙２０の繊維等は、上述したように不規則に絡み合っているが、繊維等の間の隙間の部分は、平面視において可視光領域の光を通す透光部２２を形成している。
【００１４】
和紙２０は、その外周の輪郭や後述する貫通孔１１０（図５参照）の輪郭が、レーザ光の照射（レーザカット）で形成されている。したがって、和紙２０の輪郭を形成する縁部は、焼き切れた状態となっていて、プレスによる切断加工のように繊維等に剪断力が作用しないため、繊維等のほつれが発生し難い。
【００１５】
そして、和紙２０は、これら繊維等である遮光部２１と隙間である透光部２２とによって、平面視において微細な模様を形成している。ここで、微細とは、例えば１［ｍｍ］以下の大きさで、かつ肉眼で模様と識別し得る大きさ以上の寸法範囲である。和紙２０は、上述した微細な模様を有することで、時計２００を装飾する装飾部材の一例となる。
【００１６】
反射板３０は、板厚が例えば１５０［μｍ］の板状に形成され、視線の側から、和紙２０の透光部２２などを通って入射した可視光領域の光を反射する機能を有している。反射板３０は、視認側の表面３１及び背面となる裏面３２がともに平滑な面に形成されている。反射板３０は、入射した光の一部を表面３１で反射する一方、一部の光を内部に透過させて背面である裏面３２から外部に出射する特性を有する。
【００１７】
反射板３０は、例えば、屈折率の異なるナノメートルのオーダーの層厚の樹脂による数百以上の層数の積層構造で形成されたものである。この反射板３０は、表面３１が鏡面に形成されて一部の光を反射するとともに、屈折率の異なる積層樹脂のそれぞれの境界面で光を反射することにより、樹脂でありながら金属調の光沢を有している。そして、金属の蒸着膜を用いていないため、電波の透過性が良好という特性を有している。
【００１８】
文字板１００は、反射板３０が光透過性を有することにより、外部から文字板１００に入射した光の少なくとも一部を反射板３０の裏面３２に導いて出射させることができる。また、文字板１００は、反射板３０の背面側の光を反射板３０の表面３１に導いて出射させることもできる。文字板１００は、例えば透過率が１５［％］以上である。
【００１９】
本実施形態における時計２００は、反射板３０の背面側に、照射された光により発電するソーラセル５０を備えているため、外部から文字板１００に入射した光が反射板３０を透過してソーラセル５０に照射することができ、ソーラセル５０が発電した電気を利用して時計２００を駆動することができる。
【００２０】
また、時計２００がソーラセル５０を有しなくても、例えば、反射板３０の背面側にＬＥＤ等の照明機器を配置したものでは、反射板３０の背面側から視認側の表面３１から視認側に向けて光を出射させることができる。なお、反射板３０の背面側にソーラセル５０や照明機器を有しない時計２００に用いられる場合は、反射板３０の背面側に光を透過する必要がないため、文字板の１００の反射板３０は光透過性を有しなくてもよい。
【００２１】
ここで、和紙２０は、反射板３０の表面３１上に配置されている。具体的には、反射板３０の表面３１に塗布された接着剤４０によって、和紙２０の、視線の向きの背面側となる裏面２４が反射板３０の表面３１に接着されている。接着剤４０は、その厚さが和紙２０の厚さ（視認側の表面２３から裏面２４までの寸法）よりも薄い状態となっている。そして、和紙２０の表面２３は、接着剤４０が含浸していない非接着領域となっている。
【００２２】
なお、反射板３０の表面３１に接着剤４０が塗布されていることで、和紙２０の裏面２４と反射板３０の表面３１との間には接着剤４０の層が形成されて、和紙２０の裏面２４と反射板３０の表面３１とは物理的には厳密に直接接していない部分も存在するが、技術的には接していると同視することができ、和紙２０が反射板３０の表面３１上に配置されていると解することができる。
【００２３】
和紙２０は、裏面２４の少なくとも一部が反射板３０の表面３１と接するまで反射板３０に近接して配置されるのが好ましい。この場合、和紙２０の遮光部２１を反射面（反射板３０の表面３１）に最も近づけることができ、遮光部２１の、反射面による反射像を視認させ難くすることができる。
【００２４】
なお、図２においては、和紙２０の裏面２４が反射板３０の表面３１に接していない記載となっているが、これは接着剤４０を視認し易くするための便宜に過ぎず、図面の表現として、上述したように、和紙２０の裏面２４が反射板３０の表面３１に接して表現してもよいし又は接しないように表現してもよい。
【００２５】
接着剤４０は、例えば、ホットメルト接着剤である。ホットメルト接着剤は、摂氏８０〜１００［度］の熱をかけることで融かして接着させる接着剤である。ホットメルト接着剤は、エチレン酢酸ビニルのような熱可塑性プラスチックなどの材料で形成されている。
ホットメルト接着剤は、温度を降下させることで固めることができるため、和紙２０に浸透する程度を制御するのに適している。
【００２６】
和紙２０よりも視認側に配置された透明上板１０は、その裏面１２が和紙２０の表面２３に密着している。なお、透明上板１０を和紙２０に密着させている構造は、例えば図４に示すように、時計２００として組み立てられた状態で、時計２００のケース２１０とムーブメント２３０とによって、透明上板１０と和紙２０及び反射板３０とが挟まれた状態とした構造である。
【００２７】
つまり、文字板１００のうち、接着剤４０によって一体化された和紙２０と反射板３０とが、時計２００のムーブメント２３０の上面に配置され、和紙２０の表面２３上に透明上板１０が配置した状態とする。その後、これらを時計２００のケース２１０の裏蓋２２０側の開口からケース２１０の内部に挿入し、開口を裏蓋２２０で封鎖した状態とすることにより、文字板１００は厚さ方向に、ケース２１０とムーブメント２３０とによって挟まれた状態となる。これにより、透明上板１０の裏面１２と和紙２０の表面２３とを密着させた状態とすることができる。
【００２８】
図５は文字板１００の平面図であり、図６は文字板１００の切欠き１２０にムーブメント２３０のボス２３１が嵌め合わされた状態を示す要部斜視図である。一体化された和紙２０及び反射板３０と透明上板１０との各中心部には、図５に示すように、ムーブメント２３０の中心Ｃから突き出た指針軸を貫通させる貫通孔１１０が形成されている。なお、指針軸には時刻を指示する指針（時針や分針）が固定される。
【００２９】
また、和紙２０及び反射板３０と透明上板１０との各外周縁には、図６に示すようにムーブメント２３０に形成された柱状のボス２３１と嵌め合わされる切欠き１２０が形成されている。ボス２３１及び切欠き１２０は、互いに対応する中心Ｃ回りの回転角度位置に４つずつ設けられている。
【００３０】
そして、和紙２０及び反射板３０と透明上板１０とは、ムーブメント２３０の指針軸を貫通孔１１０に貫通させた状態で、かつムーブメント２３０の４つのボス２３１がそれぞれ対応する４つの切欠き１２０に嵌め合わされた状態で、ケース２１０に組み付けられる。これにより、和紙２０及び反射板３０と透明上板１０とは、ムーブメント２３０に対して、中心Ｃ回りの周方向の位置決めがなされた状態で、ケース２１０に組み付けられる。なお、ケース２１０の上部の開口は、風防２４０によって封鎖される。また、前述したソーラセル５０はムーブメント２３０に備えられている。
【００３１】
＜作用＞
以上のように構成された文字板１００によると、反射板３０の表面３１の全体が反射面として機能するため、視認側から入射し表面３１で反射した光によって和紙２０は、裏面２４の側から照明された状態となる。したがって、文字板１００を視認する観者に、文字板１００を明るく見せることができる。また、上述した裏面２４の側からの反射光による照明によって、和紙２０は、繊維や繊維束である遮光部２１と隙間である透光部２２とのコントラストが大きくなり、観者に対して、遮光部２１と透光部２２とで形成された微細な模様を鮮明に視認させることができる。
【００３２】
また、仮に、和紙２０が反射板３０の反射面（表面３１）から離れていると、反射面に写った遮光部２１の像が透光部２２を通して視認され易くなる。この場合、観者は、反射面で反射されずに直接目に入る遮光部２１の像と、反射面で反射して透光部２２を通って目に入る反射像とを視認するため、像が二重に見えたりぼやけて見えたりして遮光部２１が不鮮明になる。したがって、特許文献１に開示された表示板は、仮に、透過性基板の下面に非透光部が形成されていなかったとしても、和紙と反射型偏光板とは、それらの間に配置された透過性基板によって離れた状態となるため、図１〜図６に示した表示板１００と比較して、遮光部２１の像が二重に見えたりぼやけて見えたりして不鮮明になる。
【００３３】
しかし、本実施形態の文字板１００は、和紙２０が反射板３０の表面３１に実質的に接している程度に和紙２０と反射面（表面３１）が近い。したがって、和紙２０の遮光部２１が表面３１に反射して視認され難い。特に、文字板１００に対して略垂直な視線向きで文字板１００を見たときは、透光部２２から遮光部２１の反射像はほとんど見えない。このため、文字板１００は、和紙２０の繊維や繊維束と隙間によって形成される微細な模様を、観者に対して鮮明に視認させることができる。
【００３４】
また、本実施形態の文字板１００は、繊維や繊維束を遮光部２１、繊維や繊維束の間の隙間を透光部２２とする和紙２０を装飾部材の一例として適用しているため、繊維や繊維束を効果的に視認させることができ、又和紙２０の風合いを効果的に視認させることができる。
【００３５】
また、本実施形態の文字板１００は、遮光部２１を形成する繊維や繊維束が、互いに不規則な向きに並んで、和紙２０の厚さ方向にも積み重なって配置されている。したがって、文字板１００の背面側に配置されたソーラセル５０の複数の領域に分割して形成された発電領域の輪郭線が、例えば、中心Ｃを通り、文字板１００の１２時と６時とを結んだ線に沿った方向や、３時と９時とを結んだ線に沿った方向に、規則的な向きに延びた直線や曲線を含む場合であって、その直線や曲線が反射板３０を透過しても、繊維や繊維束の不規則な向きに延びた輪郭線によって、ソーラセル５０の輪郭線を視認し難いものとすることができる。したがって、ソーラセル５０の存在を目隠しする効果がある。
【００３６】
また、本実施形態の文字板１００は、和紙２０よりも視認側に、和紙２０に密着した透明上板１０が配置されているため、和紙２０の表面２３の繊維がほつれるのを防止又は抑制することができる。また、仮に和紙２０の繊維が抜けても、その抜けた繊維は透明上板１０によって和紙２０の表面２３に押さえつけられているため、抜けた繊維が文字板１００上で動いたり文字板１００の上方の空間を浮遊したりするのを防ぐことができる。
【００３７】
さらに、和紙２０や反射板３０は、厚さが非常に薄いフィルム状に形成することができるが、その薄さのために剛性が低くなる場合がある。しかし、文字板１００が透明上板１０を有していることで、透明上板１０を有しないものに比べて、文字板１００の全体の剛性を向上させることができる。
【００３８】
また、本実施形態の文字板１００は、文字板１００に形成された貫通孔１１０をムーブメント２３０の指針軸が貫通し、この指針軸に指針が固定された時計２００に用いられるが、指針軸は回転する。ここで、和紙２０の繊維が回転する指針軸に巻かれるとほつれ、仮に透明上板１０が備えられていない場合には、ほつれた繊維が指針軸や指針に絡まって指針軸の回転に悪影響を及ぼしたり、時計の外観となる文字板１００に繊維が付着して外見品質が低下したりするおそれがある。
【００３９】
しかし、本実施形態の文字板１００は、和紙２０に密着した透明上板１０により、仮に繊維がほつれたとしても、そのほつれた繊維が指針軸や指針に絡まったり、外観品質が低下したりするのを防止又は抑制することができる。
【００４０】
また、本実施形態の文字板１００は、和紙２０が反射板３０の表面３１に、接着剤４０により接着されて配置されているため、和紙２０と反射板３０とを一体的に取り扱うことができる。
【００４１】
また、本実施形態の文字板１００は、和紙２０の表面３１は、接着剤４０が含浸していない非接着領域となっているため、繊維に接着剤４０が含浸した場合に液体中に浸かったように視認されることがない。したがって、接着剤４０が含浸していない和紙２０の表面３１は、繊維のふわっとした感じ（軽く柔らかな感じ、膨張した立体感）を維持することができる。
【００４２】
また、本実施形態の文字板１００は、接着剤４０としてホットメルト接着剤を適用しているため、接着剤４０に与える熱によって、接着剤４０の固体と液体との相の変化を容易に制御することができる。したがって、和紙２０の表面２３に接着剤４０が含浸しないように硬化させることが容易である。
【００４３】
なお、接着剤４０は、和紙２０の裏面２４の全面に対応するように反射板３０の表面３１に塗布してもよいし、和紙２０の外周部分などの、ケース２１０や見返しリング等の環状部材によって外部から視認されない範囲のみに対応するように塗布してもよい。外部から視認されない範囲のみに対応するように塗布したものでは、和紙２０の表面２３まで接着剤４０が含浸していてもよい。
【００４４】
また、本実施形態の文字板１００は、反射板３０の表面３１に塗布された接着剤４０の厚さが和紙２０の厚さよりも薄いため、仮に接着剤４０がホットメルト接着剤でない場合にも、和紙２０の表面２３まで接着剤４０を含浸させ難くすることができる。
【００４５】
＜変形例＞
上述した実施形態の文字板１００における透明上板１０は、表面１１及び裏面１２がいずれも平滑な面に形成されているが、裏面１２に、凹凸による模様が形成されていてもよい。凹凸による模様としては、例えば、中心Ｃを中心とする多数の同心円状の溝や渦巻き状の溝、中心Ｃ回りの全周に亘って中心Ｃから放射状に延びて形成された多数の溝、波縞模様などを適用することができる。
【００４６】
これらの溝は、ブラシなどで極浅い深さで形成されていればよい。このような溝により、文字板１００に入射した光を意図的な形状の反射光にして視認させることができる。しかも、この模様は、裏面１２に形成したことにより、表面１１に形成した場合に比べて、透明上板１０の板厚分により拡散効果が小さくなり、和紙２０の微細な模様が目立たなくなるのを抑制することができる。
【００４７】
図７は反射板３０の表面３１に光透過性の着色層６０を形成した構成の文字板１００を示す図２相当の断面図、図８は反射板３０の裏面３２に光透過性の着色層６０を形成した構成の文字板１００を示す図２相当の断面図、図９は反射板３０の表面３１の一部と裏面３２の一部にそれぞれ光透過性の着色層６０を形成した構成の文字板１００を示す図２相当の断面図である。
【００４８】
上述した実施形態の文字板１００における反射板３０は、図７に示すように、表面３１に、光透過性の着色層６０が形成されていてもよい。このように反射板３０の表面３１に着色がなされていることで、文字板１００の色を種々変えることができる。なお、着色層６０は、図８に示すように、反射板３０の裏面３２に形成してもよい。ただし、着色層６０は、裏面３２に形成するよりも表面３１に形成した方が、着色の色を濃く又は鮮やかに視認させることができる。
【００４９】
したがって、着色層６０を裏面３２に形成した場合と比較して、表面３１に形成した場合は、透過率の低下を抑えるために色の濃度が薄い着色層６０であっても、色を濃く又は鮮やかに見せる視認効果が得られる。これに対して、反射板３０の裏面３２に着色層６０を形成した場合は、着色層６０そのものの色ではなく、ぼかし効果を付与して淡くほのかな色に視認させることができる。このように、反射板３０の表面３１の着色層６０と裏面３２の着色層は、異なる着色効果が得られ、文字板１００のデザインに適した方を用いることができる。
【００５０】
着色層６０は、図９に示すように、反射板３０の表面３１の一部と裏面３２の一部とにそれぞれ形成してもよい。上述したように、表面３１の着色層６０は裏面３２の着色層６０よりも色を濃く又は鮮やかに視認させ、裏面３２の着色層６０は表面３１の着色層６０よりも色を淡く又はほのかに視認させるため、１種類の色を表面３１と裏面３２とにそれぞれ用いることで、２種類の異なった色の表現で視認させることができる。なお、文字板１００を着色するには、反射板３０に着色層６０を形成したものに限定されず、和紙２０を着色したり、透明上板１０に着色したりしてもよい。
【００５１】
本実施形態の文字板１００は、和紙２０よりも視認側に透明上板１０を配置したものであり、和紙２０及び反射板３０を接着剤やその他の接合部材で接合して和紙２０の表面２３を透明上板１０の裏面１２に密着させ、これらを一体化した構造にすると、厚さの薄い和紙２０及び反射板３０が透明上板１０の剛性によって形状が支持され、文字板１００単独（時計２００に組み込む前の状態）で剛性のある形態を維持することができる。
【００５２】
図１０は和紙２０の視認側に透明上板１０を有しない構成の文字板１００を示す図２相当の断面図である。本実施形態の文字板１００は、透明上板１０を用いずに文字板１００単独で剛性のある形態を維持する構造としてもよい。この場合、文字板１００を図１０に示すように、反射板３０の厚さを透明上板１０と同様の剛性を得られる程度の厚さにすればよい。なお、反射板３０の透光性が要求されない場合は、反射板３０の表面３１を不透明な金属の蒸着やめっきによって反射面を形成してもよく、反射板３０自体も不透明な樹脂や金属で形成することもできる。
【００５３】
このように、和紙２０の視認側に透明上板１０を有しない構成の文字板１００の場合は、透明上板１０を介さずに直接和紙２０の表面を視認できるので、和紙２０の模様が、より鮮明に視認される文字板１００を構成することができる。
【００５４】
図１１はソーラセル５０の受光面５１に形成された複数の微小な凸部５３に反射板３０が押圧される前の文字板１００を示す図２相当の断面図であり、図１２はソーラセル５０の凸部５３の輪郭形状が反射板３０に転写された文字板１００を示す図２相当の断面図である。
【００５５】
本実施形態の文字板１００は、文字板１００の背面側にソーラセル５０が配置される時計２００に用いられるが、ソーラセル５０は例えばその表面である受光面５１の側に、図１１に示すように、微小な凸部５３が形成されている。この微小な凸部５３は、アモルファスシリコン太陽電池において、プラズマＣＶＤ（Chemical Vapor Deposition）によりアモルファスシリコンの薄膜を形成するか、又はＩＴＯ（Indium Tin Oxide）等の透明電極を形成する際に、表面に形成されたスパッタ痕であり、直径は約数百μｍ以下である。
【００５６】
そして、時計２００の厚さを薄くする場合、文字板１００は、ソーラセル５０の受光面５１に接した状態で配置され、文字板１００とソーラセル５０との間で相対的な動きが発生しないように、文字板１００はソーラセル５０の受光面５１に向けて矢印方向に押圧された状態（図１２参照）でケース２１０に保持される。したがって、反射板３０の裏面３２は、ソーラセル５０の受光面５１の凸部５３に押圧される。
【００５７】
ここで、反射板３０が、所定温度以上の環境下で軟化する温度特性を有するものであると、例えば、夏の日中の締め切った自動車室内のように、所定温度を超える環境下に時計２００が放置されたとき、反射板３０は軟化して、図１２に示すように、押し付けられているソーラセル５０の凸部５３の輪郭形状が転写される。
【００５８】
このような状況で、反射板３０の裏面３２に凸部５３の輪郭形状が転写されると、凸部５３の輪郭線３３の像が視認側に透過する。しかし、本実施形態の文字板１００は、和紙２０の微細な不規則な模様に輪郭線３３の像が埋もれた状態で視認されるため、その輪郭線３３の像が目立ち難い。なお、図１１，１２において、凸部５３は等間隔で形成されているように記載されているが、不等間隔で形成されていてもよい。
【００５９】
＜その他のバリエーション＞
本実施形態の文字板１００は、装飾部材として和紙２０を適用したため、遮光部２１と透光部２２とによって形成される微細な模様は不規則なものであるが、本発明に係る表示板における装飾部材の微細な模様は、不規則なものであってもよいし、又は規則的なものであってもよい。なお、不規則な模様の装飾部材の場合は、表示板の背面側に配置されたソーラセル等の規則的な輪郭形状を目立たなくする効果が大きい。
【００６０】
和紙２０は、その外周の輪郭や後述する貫通孔１１０（図５参照）の輪郭が、レーザカットで形成されたものでなくてもよく、プレスによる切断加工で形成されたものでも、和紙２０のほつれが、文字板１００の外観や時計１００に悪影響を及ぼさなければ適用することができる。
【００６１】
和紙２０の遮光部２１は、光を完全に遮る（透過を禁止する）ものでなくてもよく、一部透過するものであってもよい。
【００６２】
和紙２０は、一般的には植物の繊維によって構成されるが、植物の繊維以外の繊維、例えば人工的に形成されたセルロース等により構成されたものであってもよい。
【００６３】
図１３は、装飾部材の他の例として、繊維等とその間の隙間とによって微細な模様が形成された装飾部材の一例である不織布を示す写真である。図１３の写真は、不織布の上に、これよりも小さな円盤状の透明上板１０を載置した状態で撮影されている。透明上板１０の中央の円形部分と、時字及びカレンダ表示窓が形成された外周の環状部分とで裏面１２の面状態が異なるため、透明上板１０の中央部分と環状部分とで不織布の外観が異なるように視認される。
【００６４】
本発明の表示板における装飾部材は、遮光部と透光部とによって微細な模様が形成されたものであればよく、繊維又は繊維束とその間の隙間とによって微細な模様が形成された和紙２０に限定されない。例えば、繊維等とその間の隙間とによって微細な模様が形成された不織布（例えば、図１３参照）や繊維等を面状に織った麻や絹等の布、多数の糸を板状に固めたもの、鳥の羽根や昆虫の透けた繊維質の羽根、植物の微細な繊維質の葉脈なども適用することができる。
【００６５】
本発明の表示板における装飾部材は、遮光部と透光部とによって微細な模様が形成されたものであればよく、繊維や繊維質のものに限定されない。例えば、微細な貫通孔をパターン状に形成することによってパターン模様が形成された紙、樹脂板、金属板又はこれらを透光性を有するフィルムで挟んだものなども適用することができる。
【００６６】
反射板３０は、表面３１が鏡面に形成されて一部の光を反射するとともに、屈折率の異なる積層樹脂のそれぞれの境界面で光を反射するものであるが、反射板３０の他の部位（例えば、裏面３２）で光を反射するものであってもよい。
【００６７】
また、反射板３０は、積層構造の樹脂で形成されたものでなくてもよい。積層構造の樹脂で形成された反射板３０は、電波の透過性がよいため、文字板１００の背面側に、電波を受信するアンテナを備えた、いわゆる電波時計に用いられる場合は特に有効である。一方、電波の透過性が要求されない時計に用いられる文字板１００では、反射板３０として、透光性を有する樹脂の基板の表面３１に、金属、合金、金属若しくは合金の酸化物、金属若しくは合金の窒化物、又は金属若しくは合金の炭化物等による半透過性の蒸着膜（膜厚０．１［μｍ］程度）を形成したものであってもよい。
【００６８】
また、透光性を有する樹脂の基板の表面３１に、金属、合金、金属若しくは合金の酸化物、金属若しくは合金の窒化物、又は金属若しくは合金の炭化物のいずれかを粉末状にして含ませる等により光を反射する塗料を塗装したものであってもよい。
【００６９】
図１４は、樹脂の基板の裏面３２に微小なプリズム３６を多数形成した反射板３０を示す図２相当の断面図である。反射板３０としては、図１４に示すように、樹脂の基板の裏面３２に微小なプリズム３６を多数形成した、いわゆる輝度向上板を適用することもできる。
【００７０】
なお、反射板３０は、裏面３２で光を反射するものよりも、表面３１で少なくとも一部の光を反射するものの方が好ましい。その理由は、裏面３２で光を反射する反射板３０の場合、表面３１を反射面とするものよりも、表面３１側に配置された和紙２０と反射面との距離が、反射板３０の厚さ分だけ長いためである。したがって、裏面３２で光を反射する反射板３０を適用する場合は、和紙２０の模様が鮮明に視認される効果を得ることができる程度に、その厚さが薄いものを用いるのが適当である。
【００７１】
表面３１で少なくとも一部の光を反射する反射板３０としては、前述のように、視認側の表面が鏡面に形成されて屈折率の異なる積層樹脂のそれぞれの境界面で光を反射するものや、樹脂の基板の表面３１に光を反射する蒸着膜を形成したり、光を反射する塗料を塗装したものを用いることができる。
【００７２】
和紙２０や反射板３０は、文字板１００の全面に対応していなくてもよい。すなわち、和紙２０は、文字板１００の例えば中央の範囲だけに対応して配置されていてもよい。この場合、反射板３０は、少なくとも和紙２０が配置されている範囲に対応して存在していればよい。
【００７３】
接着剤４０は、ホットメルト接着剤以外の高粘度の接着剤であってもよい。また、和紙２０と反射板３０とを接合するものとして、接着剤４０以外の、透明な（光透過性を有する）両面テープ、透明な粘着剤を適用することもできる。
【００７４】
透明上板１０に、和紙２０の模様の視認を妨げない程度に着色することもできる。例えば、透明上板１０の表面１１又は裏面１２に着色層を設けたり、透明上板１０の成型に用いる樹脂材料を着色したりしてもよい。さらに、和紙２０を接着する接着剤４０として、予め着色されたものを用いることで、着色効果を発揮させることもできる。
【００７５】
なお、文字板１００の単体としては、和紙２０と反射板３０とが接着剤４０で一体化していなくてもよい。すなわち、図４に示すように、文字板１００が時計２００の一部として組み込まれた状態において、和紙２０が反射板３０の表面３１上に動かないように配置されていればよい。したがって、和紙２０を反射板３０の表面３１に接着せずに、和紙２０の裏面２４の少なくとも一部と反射板３０の表面３１とが接するように、反射板３０の表面３１に和紙２０を載置した、接着剤４０を有しない文字板１００であってもよい。
【００７６】
この場合、文字板１００は、ケース２１０とムーブメント２３０とで厚さ方向に挟まれて固定されるなどして、和紙２０が反射板３０に対して動くのを防止することができ、このように、和紙２０と反射板３０とを一体に固定する構造又は手段を有しているものは、本発明の表示板の一例となる。
【００７７】
本発明に係る表示板における装飾部材や反射部材における板状には、板厚が薄いシート状やフィルム状などの薄板状も含む。
【００７８】
本発明に係る表示板は、時計に用いられるものに限定されない。
【符号の説明】
【００７９】
１０    透明上板（透光部材の一例）
２０    和紙（装飾部材の一例）
２１    遮光部
２２    透光部
２３    表面
２４    裏面
３０    反射板（反射部材の一例）
３１    表面
３２    裏面
４０    接着剤
５０    ソーラセル
１００  文字板（表示板の一例）
２００  時計
Ｃ      中心
【図１】
2018119807.tif 000003
【図２】
2018119807.tif 000004
【図３】
2018119807.tif 000005
【図４】
2018119807.tif 000006
【図５】
2018119807.tif 000007
【図６】
2018119807.tif 000008
【図７】
2018119807.tif 000009
【図８】
2018119807.tif 000010
【図９】
2018119807.tif 000011
【図１０】
2018119807.tif 000012
【図１１】
2018119807.tif 000013
【図１２】
2018119807.tif 000014
【図１３】
2018119807.tif 000015
【図１４】
2018119807.tif 000016